(57)【要約】【課題】ケーブル挿入時とケーブル抜き時との両方で効果的に異音発生を抑止できるミュート装置及びオーディオ機器を提供する。【解決手段】ケーブルの挿入の有無を、時間間隔を空けて検出し、挿入の有無に変化を検出した場合に、検出時のチャタリング除去をすると共に、変化後の挿入の有無が継続するか否かを監視時間Ｔの間、監視する制御部を備え、監視時間Ｔを、ケーブルが抜かれる時よりも、ケーブルが挿入される時の方を長く設定した。【選択図】図３
2011097456.tif 000002
【特許請求の範囲】
【請求項１】
ケーブルが挿入部に挿入されるとミュートオフし、ケーブルが挿入部から抜かれるとミュートオンするミュート回路を備えたミュート装置において、
前記ケーブルの挿入の有無を、時間間隔を空けて検出し、挿入の有無に変化を検出した場合に、検出時のチャタリング除去をすると共に、変化後の挿入の有無が継続するか否かを所定の監視時間の間、監視する制御部を備え、前記監視時間を、前記ケーブルが抜かれる時よりも、前記ケーブルが挿入される時の方を長く設定したことを特徴とするミュート装置。
【請求項２】
前記ケーブルが挿入される時の前記監視時間を、前記ケーブルの挿入の誤検出の無い時間に設定したことを特徴とする請求項１に記載のミュート装置。
【請求項３】
前記ケーブルが抜かれる時の前記監視時間を、チャタリングの発生時間を下回らない最短時間に設定したことを特徴とする請求項１又は２に記載のミュート装置。
【請求項４】
外部機器に接続したケーブルを挿入する挿入部と、
前記ケーブルを介して送信される音声信号に基づいて音声出力を行う音声出力部と、
前記ケーブルが前記挿入部に挿入されるとミュートオフし、前記ケーブルが前記挿入部から抜かれるとミュートオンするミュート回路とを備え、
前記ケーブルの挿入の有無を、時間間隔を空けて検出し、挿入の有無に変化を検出した場合に、検出時のチャタリング除去をすると共に、変化後の挿入の有無が継続するか否かを所定の監視時間の間、監視する制御部を備え、前記監視時間を、前記ケーブルが抜かれる時よりも、前記ケーブルが挿入される時の方を長く設定したことを特徴とするオーディオ機器。
【発明の詳細な説明】
【技術分野】
【０００１】
本発明は、ケーブルが挿入部に挿入されるとミュートオフし、ケーブルが挿入部から抜かれるとミュートオンするミュート回路を備えたミュート装置及びオーディオ機器に関する。
【背景技術】
【０００２】
オーディオ用やビジュアル用の電子機器には、音声ケーブルや映像ケーブルが接続されるコネクタとミュート回路とを備えるものが知られている（例えば、特許文献１参照）。
この種の装置には、ケーブルが接続されているか否かを判断し、この判断処理が終了すると、ミュート回路を非動作状態（ミュートオフ）に切り換える構成を具備するものがある（例えば、特許文献２参照）。
【先行技術文献】
【特許文献】
【０００３】
【特許文献１】特開２００６−３４００３８号公報
【特許文献２】特開平１１−２７５４６０号公報
【発明の概要】
【発明が解決しようとする課題】
【０００４】
しかし、特許文献２の構成では、ケーブル接続時のインピーダンスに基づいてケーブルが接続されているか否かを判断するだけでミュート回路を切り換え制御するため、ケーブル挿入時とケーブル抜き時とで判断処理に要する時間が略等しく、ミュート回路が切り替わるまでの時間も略等しくなる。
この場合、ミュート回路が切り換えるまでの時間が等しいと、ケーブル挿入時とケーブル抜き時とのいずれかで異音が発生してしまうおそれがある。具体的には、ケーブル挿入時とケーブル抜き時とですぐにミュート回路が切り替わった場合には、ケーブル挿入中にミュートオフへ切り替わってしまい、ケーブル挿入中に生じる異音（ガリ音等）が外部に放音されてしまうおそれが生じる。一方、ケーブル挿入時とケーブル抜き時とで長時間経ってからミュート回路が切り替わった場合には、ケーブルが抜かれて入力オープンになったときにミュートオフの場合が生じ、外部ノイズが外部に放音されてしまうおそれが生じる。
【０００５】
そこで、本発明の目的は、上述した従来の技術が有する課題を解消し、ケーブル挿入時とケーブル抜き時との両方で効果的に異音発生を抑止できるミュート装置及びオーディオ機器を提供することにある。
【課題を解決するための手段】
【０００６】
上記目的を達成するために、本発明は、ケーブルが挿入部に挿入されるとミュートオフし、ケーブルが挿入部から抜かれるとミュートオンするミュート回路を備えたミュート装置において、前記ケーブルの挿入の有無を、時間間隔を空けて検出し、挿入の有無に変化を検出した場合に、検出時のチャタリング除去をすると共に、変化後の挿入の有無が継続するか否かを所定の監視時間の間、監視する制御部を備え、前記監視時間を、前記ケーブルが抜かれる時よりも、前記ケーブルが挿入される時の方を長く設定したことを特徴とする。
【０００７】
この構成によれば、ケーブルの挿入の有無を、時間間隔を空けて検出し、挿入の有無に変化を検出した場合に、検出時のチャタリング除去をすると共に、変化後の挿入の有無が継続するか否かを所定の監視時間の間、監視する制御部を備え、監視時間を、ケーブルが抜かれる時よりも、ケーブルが挿入される時の方を長く設定したので、ケーブルが挿入される時の監視時間が相対的に長くなり、ケーブルが挿入されたと誤検出する事態を回避することができると共に、ミュートオフへ切り替わるタイミングが遅くなり、ケーブル挿入時の異音発生を抑止できる。
また、ケーブルが抜かれる時の監視時間が相対的に短くなるので、ケーブルが抜かれた際にミュートオンに切り替わるタイミングを早くでき、ケーブル引き抜き時の異音発生を抑止できる。従って、ケーブル挿入時とケーブル抜き時との両方で効果的に異音発生を抑止できる。
【０００８】
上記構成において、前記ケーブルが挿入される時の前記監視時間を、前記ケーブルの挿入の誤検出の無い時間に設定してもよい。この構成によれば、ケーブルが確実に挿入された状態でミュートオフへと切り替えることができる。
また、上記構成において、前記ケーブルが抜かれる時の前記監視時間を、チャタリングの発生時間を下回らない最短時間に設定してもよい。この構成によれば、ケーブル抜き時のチャタリングの影響を回避しつつ入力オープンになる前にミュートオンへ切り替えることができる。
【０００９】
また、本発明は、外部機器に接続したケーブルを挿入する挿入部と、前記ケーブルを介して送信される音声信号に基づいて音声出力を行う音声出力部と、前記ケーブルが前記挿入部に挿入されるとミュートオフし、前記ケーブルが前記挿入部から抜かれるとミュートオンするミュート回路とを備え、前記ケーブルの挿入の有無を、時間間隔を空けて検出し、挿入の有無に変化を検出した場合に、検出時のチャタリング除去をすると共に、変化後の挿入の有無が継続するか否かを所定の監視時間の間、監視する制御部を備え、前記監視時間を、前記ケーブルが抜かれる時よりも、前記ケーブルが挿入される時の方を長く設定したことを特徴とするオーディオ機器を提供する。この構成によれば、ケーブル挿入時とケーブル抜き時との両方で効果的に異音発生を抑止できる。
【発明の効果】
【００１０】
本発明によれば、ケーブル挿入時とケーブル抜き時との両方で効果的に異音発生を抑止できる。
【図面の簡単な説明】
【００１１】
【図１】本発明の実施形態に係る車載オーディオ機器の外観構成を示す図である。
【図２】車載オーディオ機器の構成を示すブロック図である。
【図３】ミュート回路の制御動作を示すフローチャートである。
【発明を実施するための形態】
【００１２】
以下、図面を参照して本発明の一実施の形態について説明する。
図１は、本発明の実施形態に係る車載オーディオ機器の外観構成を示す図であり、図２は車載オーディオ機器の構成を示すブロック図である。
図１に示すように、この車載オーディオ機器１０は、移動体である車両に搭載され、音声・映像用のケーブル１１を介して車両内の外部機器１２から出力される音声信号や映像信号（以下、これら信号を再生信号という）を入力し、音声信号を入力した場合は対応する音声をスピーカー１３から放音させ、映像信号を入力した場合は対応する映像を映像出力部１４から出力（表示）させる装置である。
ここで、外部機器１２は、オーディオプレーヤー、ＤＶＤプレーヤー、携帯側プレーヤー、デジタルスチルカメラ及びデジタルビデオカメラ等の再生装置である。
【００１３】
この車載オーディオ機器１０は、図１及び図２に示すように、音声・映像用のケーブル１１が挿入されるケーブル挿入部２１を具備する。このケーブル挿入部２１は、ステレオ音声の左右に各々対応する音声用のケーブル（音声ケーブル）１１Ｌ、１１Ｒが各々挿入される音声入力用ケーブル挿入部２１Ｌ、２１Ｒと、映像用のケーブル（映像ケーブル）１１Ｖが挿入される映像入力用ケーブル挿入部２１Ｖとを備えている。
本構成では、音声・映像用のケーブル１１として、先端にピンプラグ１１Ａが接続されたピンケーブルが用いられ、ケーブル挿入部２１Ｌ、２１Ｒ及び２１Ｖは、ピンプラグ入力端子を各々備えている。以下、ケーブル１１Ｌ、１１Ｒ及び１１Ｖを特に区別する必要がない場合は、ケーブル１１と表記し、ケーブル挿入部２１Ｌ、２１Ｒ及び２１Ｖを特に区別する必要がない場合はケーブル挿入部２１と表記する。
【００１４】
ケーブル挿入部２１は、図１に示すように、車載オーディオ機器１０の筐体１５の前面に設けられる。この車載オーディオ機器１０を車両に設置した場合には前面だけが車内に露出し、車内からケーブル１１を容易に抜き挿しできるように構成されている。つまり、車内に持ち込まれた携帯側プレーヤーやデジタルスチルカメラやデジタルビデオカメラといった携帯型の再生装置を容易にケーブル接続することができる。
図示の例では、この車載オーディオ機器１０が、音声と映像で構成される映画等のコンテンツを入力するための一系統のケーブル挿入部２１（つまり、左右（ステレオ）の音声信号とコンポジット映像信号を入力するケーブル挿入部２１）を前面に備えている。但し、一系統に限らず、複数系統のケーブル挿入部２１を前面に備えていても良い。なお、図示は省略しているが、この筐体１５の前面以外（例えば、背面）にも、ケーブル挿入部２１が設けられ、前面以外のケーブル挿入部２１には、車内に設置されたオーディオプレーヤーやＤＶＤプレーヤー等の車載再生装置からのケーブル１１が接続される。また、図１中、符号１７は、車載オーディオ機器１０を操作するための操作子であり、具体的には、電源スイッチやボリューム調整用操作子等である。
【００１５】
図２に示すように、この車載オーディオ機器１０は、音声入力用ケーブル挿入部２１Ｌ、２１Ｒの出力側に、音声出力系統（音声出力部）３０を構成する音声回路３１と音声用アンプ（音声出力部）３２とを備えており、音声入力用ケーブル挿入部２１Ｌ、２１Ｒを介してケーブル１１Ｌ、１１Ｒから入力した音声信号を音声回路３１で音声処理して音声用アンプ３２で増幅し、増幅信号でスピーカー１３を駆動する。これによって、音声信号に対応する音声がスピーカー１３から放音される。なお、スピーカー１３は、車両に設置されたスピーカーであるが、車載オーディオ機器１０に内蔵したスピーカーでもよい。
【００１６】
また、車載オーディオ機器１０は、映像入力用ケーブル挿入部２１Ｖの出力側に、映像出力系統（映像出力部）３４を構成する映像回路３５と映像用アンプ３６とを備え、映像入力用ケーブル挿入部２１Ｖを介してケーブル１１Ｖから入力した映像信号を映像回路３５で映像処理して映像用アンプ３６で増幅し、映像出力部１４に出力する。これによって、映像信号に対応する映像が車載オーディオ機器１０の映像出力部１４に表示される。この映像出力部１４は、例えば、液晶表示装置で構成される。なお、この映像出力部１４は、車載オーディオ機器１０の筐体１５内に内蔵される構成に限らず、別体の表示装置でもよい。
【００１７】
さらに、この車載オーディオ機器１０は、音声入力用ケーブル挿入部２１Ｌ、２１Ｒの出力側（後段）に設けられる音声ミュート回路４１Ａと、映像入力用ケーブル挿入部２１Ｖの出力側（後段）に設けられる映像ミュート回路４１Ｂと、ケーブル挿入部２１へのケーブル接続の有無を検出する接続検出回路４２と、接続検出回路４２の検出結果を入力すると共に車載オーディオ機器１０の各部を制御するマイコン（制御部）５１とを備えている。
音声ミュート回路４１Ａは、音声回路３１と音声用アンプ３２との間、つまり、音声用アンプ３２の前段に配置され、マイコン５１の制御の下、音声出力系統をミュートオン状態、ミュートオフ状態に切り換える回路である。すなわち、音声ミュート回路４１Ａは、スイッチ構造を備え、マイコン５１からミュートオンが指示された場合には、スイッチを解放状態にすることで音声用アンプ３２を切り離し、スピーカー１３を停止状態にする。また、音声ミュート回路４１Ａは、マイコン５１からミュートオフが指示された場合には、スイッチを閉状態にして音声用アンプ３２に信号入力させ、音声信号に対応する音声をスピーカー１３から放音可能にする。
【００１８】
映像ミュート回路４１Ｂは、映像回路３５と映像用アンプ３６との間、つまり、映像用アンプ３６の前段に配置され、マイコン５１の制御の下、映像出力系統をミュートオン状態、ミュートオフ状態に切り換える回路である。
映像ミュート回路４１Ｂは、音声ミュート回路４１Ａと同構造であり、マイコン５１からミュートオンが指示された場合には、映像用アンプ３６を切り離し、映像出力部１４からの映像出力を停止状態にする。なお、この場合は、ケーブル１１Ｖからの入力映像信号に対する映像の出力が停止されるだけで、それ以外の映像（操作画面など）は表示可能である。
また、映像ミュート回路４１Ｂは、マイコン５１からミュートオフが指示された場合には、映像用アンプ３６に信号入力させ、映像信号に対応する映像を映像出力部１４から出力可能にする。これら音声ミュート回路４１Ａ及び映像ミュート回路４１Ｂは、公知のミュート回路を広く適用することができる。以下の説明において、音声ミュート回路４１Ａ及び映像ミュート回路４１Ｂを特に区別する必要がない場合には、ミュート回路４１と表記する。
【００１９】
接続検出回路４２は、ケーブル挿入部２１とケーブル１１のピンプラグ１１Ａとの導通の有無によりケーブル接続の有無を検出する回路であり、導通している場合はケーブル接続有りを示すＨｉレベルの信号を出力し、非導通の場合はケーブル接続無しを示すＬｏｗレベルの信号を出力する。これら信号は、マイコン５１の入力端子に入力され、マイコン５１は入力端子のＨｉ／Ｌｏｗを検出することにより、ケーブル接続の有無を検出できる。この接続検出回路４２は、公知の構成を広く適用でき、例えば、ケーブル挿入部２１に接続された負荷（外部機器１２）のインピーダンスを測定することによりケーブル接続の有無を検出する構成を適用すればよい。
【００２０】
マイコン５１は、この車載オーディオ機器１０の各部を制御するコンピューターとして機能する。このマイコン５１は、ミュート回路４１に関しては、接続検出回路４２の検出結果に基づいてケーブル１１が挿入されたか抜かれたかを判定する判定処理を行い、この判定結果に基づいてケーブル１１が挿入されている場合は、ミュート回路４１をミュートオフに制御し、ケーブル１１が抜かれている場合は、ミュート回路４１をミュートオンに制御するミュート制御処理を行う。
【００２１】
次に、この車載オーディオ機器１０におけるミュート回路４１の制御動作（判定処理及びミュート制御処理）を説明する。
図３は、この場合の動作を示すフローチャートである。なお、本装置１０では、音声系と映像系とで各々独立してミュート回路４１を制御するが、その制御動作は同じであるため、以下、音声系と映像系とを特に区別せずに説明する。
また、図３に示す処理フローは定周期起動であり、つまり、車載オーディオ機器１０を電源オンの状態にした場合に一定の周期で起動され、本実施形態では、この起動周期が１０ｍｓに設定されている。なお、前提として、ケーブル１１が挿入されている場合は、マイコン５１によりミュート回路４１がミュートオフに制御され、ケーブル１１が抜かれている場合は、マイコン５１によりミュート回路４１がミュートオンに制御される。
【００２２】
まず、マイコン５１は、起動毎にケーブル挿入部２１へのケーブル挿入の有無を検出し、前回と差分有りか否か、つまり、ケーブル挿入の有無に変化があったか否かを判定する（ステップＳ１）。なお。電源投入直後で前回の検出結果がない場合には、差分無しと判定し（ステップＳ１：ＮＯ）、後述するステップＳ５の処理へと移行する。
一方、ケーブル挿入の有無に変化があった場合（ステップＳ１：ＹＥＳ）、マイコン５１は、現在ケーブル１１が挿されていれば、つまり、ケーブル挿入に伴う変化であれば（ステップＳ２：ＹＥＳ）、チャタリング除去処理を開始すると共に、監視時間Ｔを第１監視時間Ｔ１に設定する処理を行う（ステップＳ３）。
一方、ステップＳ２の判定で、現在ケーブル１１が挿されていない場合、つまり、ケーブル抜きに伴う変化であれば（ステップＳ２：ＮＯ）、マイコン５１は、チャタリング除去処理を開始すると共に、監視時間Ｔを第２監視時間Ｔ２に設定する処理を行う（ステップＳ４）。
【００２３】
ここで、ケーブル１１を抜き挿しする間は、ケーブル１１のピンプラグ１１Ａとケーブル挿入部２１との物理的な接触が安定しないため、チャタリングが発生するおそれがある。上記チャタリング除去処理は、マイコン５１の入力端子に入力されるＨｉ／Ｌｏｗ信号からケーブル１１の抜き時や差し時に生じるチャタリングを除去する処理であり、除去時間だけＨｉ／Ｌｏｗ信号を無効にする処理を行う。なお、このチャタリング除去処理は、公知の処理を広く適用することができる。チャタリング除去のためのハードウェア構成（チャタリング除去回路）を設ける場合は、接続検出回路４２内、マイコン５１内、又は、接続検出回路４２とマイコン５１との間に設ければよく、チャタリング除去をソフトウェア処理で行う場合は、マイコン５１で行えばよい。
【００２４】
また、上記第１監視時間Ｔ１は、ケーブル１１が挿入された際に挿入の状態が継続するか否かを監視する監視時間であり、挿入の誤検出のない時間に設定される。例えば、この第１監視時間Ｔ１は、乗員（ユーザー）がケーブル１１を完全に挿入するのに十分な時間であり、本構成では２００ｍｓに予め設定される。
また、上記第２監視時間Ｔ２は、ケーブル１１が抜かれた際に抜かれた状態が継続するか否かを監視する監視時間であり、ケーブル１１が抜かれる時のチャタリングの発生時間を下回らない最短時間に設定される。この第２監視時間Ｔ２は、少なくとも第１監視時間Ｔ１よりも短い時間に設定され、本構成では４０ｍｓに予め設定される。
【００２５】
マイコン５１は、上記ステップＳ３、又はＳ４の処理を行うと当該処理を終了し、起動周期（１０ｍｓ）の時間経過後に、再びステップＳ１の処理を実行する。
このステップＳ１の処理において、ケーブル挿入の有無に変化がない場合（ステップＳ１：ＮＯ）、マイコン５１は、チャタリング除去中でなければ（ステップＳ５：ＮＯ）、当該処理を終了し、現在のミュート回路４１の状態（ミュートオン状態かミュートオフ状態のいずれか）を維持する。
一方、チャタリング除去中であれば（ステップＳ５：ＹＥＳ）、マイコン５１は、設定された監視時間Ｔから起動周期（１０ｍｓ）を減算し（ステップＳ６）、監視時間Ｔが経過したか否か、つまり、監視時間Ｔが零に至ったか否かを判定する（ステップＳ７）。
【００２６】
マイコン５１は、監視時間Ｔが経過していなければ当該処理を終了する。このため、ケーブル挿入の有無に変化がなく（ステップＳ１：ＮＯ）、チャタリング除去中（つまり、監視時間Ｔが設定済み）の状態であれば（ステップＳ５：ＹＥＳ）、当該処理の起動毎に監視時間Ｔが起動周期の時間だけ減算され、監視時間Ｔが経過するまでこの状態が保持される。
監視時間Ｔが経過した場合（ステップＳ７：ＹＥＳ）、マイコン５１は、チャタリング除去を終了し、ケーブル１１が挿入されたか抜かれたかを確定する（ステップＳ８）。
【００２７】
すなわち、ケーブル挿入有りの状態であれば、マイコン５１は、ケーブル１１が挿入されている（ＩＮ確定）と判定する（ステップＳ８：ＩＮ確定）。この場合、マイコン５１は、ミュート回路４１（音声ミュート回路４１Ａ、映像ミュート回路４１Ｂ）をミュートオフ（音声（映像）ミュートオフ）に制御した後（ステップＳ９）、該処理を終了する。
一方、ケーブル挿入無しの状態であれば、マイコン５１は、ケーブル１１が抜かれている（ＯＵＴ確定）と判定する（ステップＳ８：ＯＵＴ確定）。この場合、マイコン５１は、ミュート回路４１（音声ミュート回路４１Ａ、映像ミュート回路４１Ｂ）をミュートオン（音声（映像）ミュートオン）に制御した後（ステップＳ１０）、該処理を終了する。以上がミュート回路４１の制御動作である。
【００２８】
上記処理を繰り返し実行することで、ケーブル１１の挿入の有無が時間間隔を空けて検出され（ステップＳ１）、ケーブル１１の挿入の有無に変化があると、ステップＳ１からステップＳ２の処理へと移行し、例えば、ケーブル１１が挿入されると、ステップＳ３に移行して、チャタリング除去が開始されると共に、ケーブル挿入状態が継続するか否かを監視する第１監視時間Ｔ１が設定され、この第１監視時間Ｔ１の間、その状態が継続すると、第１監視時間Ｔ１が経過したタイミングでチャタリング除去が終了すると共にミュートオフへ制御される（ステップＳ１→Ｓ５〜Ｓ９）。
その後、ケーブル１１が抜かれると、ステップＳ２からステップＳ４へと移行し、チャタリング除去が開始されると共に、ケーブル抜き状態が継続するか否かを監視する第２監視時間Ｔ２が設定され、この第２監視時間Ｔ２の間、その状態が継続すると、第２監視時間Ｔ２が経過したタイミングでチャタリング除去が終了すると共にミュートオフからミュートオンへと切り替わる（ステップＳ１→Ｓ５〜Ｓ８→Ｓ９）。
【００２９】
さらにその後に、ケーブル１１が挿入されると、上記のように第１監視時間Ｔ１の経過を待ってミュートオフへ制御されるので、ミュートオンからミュートオフへと切り替わる。
一方、第１監視時間Ｔ１又は第２監視時間Ｔ２の監視を行っている間に、ケーブル１１の挿入の有無に変化があると、ステップＳ１からステップＳ２へと移行し、現在のケーブル接続の有無に応じてステップＳ４又はステップＳ３の処理へ移行し、監視時間Ｔが再設定され、再設定後の監視時間Ｔ（第２監視時間Ｔ２又は第１監視時間Ｔ１）で変化後の挿入の有無が継続するか否かが判定される。すなわち、ケーブル挿入の有無に変化があった直後に再び変化があれば、最新のケーブル挿入の状態が優先され、最新のケーブル挿入状態に基づいて監視時間Ｔの設定及び監視が行われる。
【００３０】
このように、ケーブル１１が挿入されたことを検知してからミュートオフへと切り替わる時間が第１監視時間Ｔ１とされ、ケーブル１１が抜かれたことを検知してからミュートオンへと切り替わる時間が第２監視時間Ｔ２とされ、この第１監視時間Ｔ１が第２監視時間Ｔ２より長い時間に設定されるので、ケーブル１１が挿入される時の監視時間（第１監視時間Ｔ１）が相対的に長くなり、ケーブル１１が挿入されたと誤検出する事態を回避することができる。また、ケーブル挿入時にミュートオフへと切り替わるタイミングが遅くなるので、ケーブル１１が完全に挿入される前にミュートオフへ切り替わってしまい、ケーブル挿入に伴うガリ音等の異音発生を抑止できる。
また、ケーブル１１が抜かれる時の監視時間（第２監視時間Ｔ２）が相対的に短くなり、ケーブル１１が抜かれた際にミュートオンに切り替わるタイミングを早くできる。このため、ケーブル引き抜き時のガリ音やケーブル１１が抜けて入力オープンになることで拾ってしまう外部ノイズによる異音発生を抑止できる。
【００３１】
しかも、上記第１監視時間Ｔ１及び第２監視時間Ｔ２で監視を行う間は、ケーブル１１の抜き挿しに起因するチャタリングを除去する処理を行うので、チャタリングの影響による誤検出を回避できる分、精度良くケーブル１１の挿入の有無を検出でき、その挿入状態が維持されるか否かの監視を高精度で行うことができる。このため、ケーブル１１が挿入された時は上記第１監視時間Ｔ１が経過したタイミングで、確実にミュートオフへ切り替えできると共に、ケーブル１１が抜かれた時は上記第２監視時間Ｔ２が経過したタイミングで、確実にミュートオンへ切り替えでき、挿入時と抜き時とで切り替えに要する時間をそれぞれ精度良く一定時間にすることができる。
【００３２】
以上説明したように、本実施の形態によれば、ケーブル１１の挿入の有無を、時間間隔を空けて検出し、挿入の有無に変化を検出した場合に、検出時のチャタリング除去を開始すると共に、変化後の挿入の有無が継続するか否かを監視する監視時間Ｔの計時を開始し、この監視時間Ｔを、ケーブル１１が抜かれる時よりも、ケーブル１１が挿入される時の方を長く設定したので、ケーブル挿入時とケーブル抜き時との両方で効果的に異音発生を抑止できる。
また、ケーブル１１が挿入される時の監視時間Ｔを、ケーブル１１の挿入の誤検出の無い時間（第１監視時間Ｔ１）に設定したので、ケーブル１１が確実に挿入された状態でミュートオフへと切り替えることができる。
また、ケーブル１１が抜かれる時の監視時間Ｔを、チャタリングの発生時間を下回らない最短時間（第２監視時間Ｔ２）に設定したので、ケーブル抜き時のチャタリングの影響を回避しつつ入力オープンになる前にミュートオンへ切り替えることができる。
【００３３】
上述した実施形態は、あくまで本発明の一態様に過ぎず、本発明の範囲内で任意に変形が可能である。例えば、上述の実施形態では、ケーブル１１の挿入の有無を時間間隔を空けて検出して挿入の有無に変化を検出した直後に、チャタリング除去と監視時間Ｔの計時とを各々開始する場合について述べたが、これらの開始タイミングは上記タイミングに限定されない。要は、ケーブル１１の挿入の有無に変化を検出した場合に、チャタリング除去をすると共に、変化後の挿入の有無が継続するか否かを所定の監視時間Ｔの間、監視するようにすればよい。
また、上述の実施形態では、本発明を車載オーディオ機器１０に適用する場合について説明したが、ケーブルの挿入に応じてミュートオフ・ミュートオンするミュート回路を備えたミュート装置に広く適用することができ、例えば、カーアンプ、カーナビゲーション装置などの他の車載装置や、ホーム用のオーディオ機器等のホーム用機器に広く適用することができる。なお、この車載装置が搭載される車両は、自動車に限らず、自動二輪車や自転車などを含む広義の車両を意味する。
【符号の説明】
【００３４】
１０  車載オーディオ機器
１１  ケーブル
１２  外部機器
２１  ケーブル挿入部
２１Ｌ、２１Ｒ  音声入力用ケーブル挿入部
２１Ｖ  映像入力用ケーブル挿入部
３０  音声出力系統（音声出力部）
３４  映像出力系統（映像出力部）
４１  ミュート回路
５１  マイコン（制御部）
Ｔ  監視時間
Ｔ１  第１監視時間
Ｔ２  第２監視時間
【図１】
2011097456.tif 000003
【図２】
2011097456.tif 000004
【図３】
2011097456.tif 000005